(57)【特許請求の範囲】
【請求項１】
上下方向に延在する充填板を水平方向に並べて充填板により仕切られた常時湿式空間と湿式・乾式切替空間を有する充填材を形成し、該充填材を温水槽の下方の熱交換部に多段に配設すると共に、常時湿式空間及び湿式・乾式切換空間に外気を導入し、常時湿式空間には常時温水を供給し、外気温度が所定の温度より高い場合及び所定の湿度より低い場合には湿式・乾式切替空間に温水を供給することにより常時湿式空間及び湿式・乾式切換空間にて温水の冷却を行い、外気温度が所定の温度より低い場合及び所定の湿度より高い場合には湿式・乾式切換空間への温水の供給を停止することにより常時湿式空間のみにて温水の冷却を行うようにした冷水塔において、湿式・乾式切替空間を形成する上段の充填板と下段の充填板との間に、常時湿式空間と湿式・乾式切替空間との間における温水の移動を阻止し、且つ温水が供給されていない湿式・乾式切換空間への常時湿式空間からの温水の侵入を阻止する接続板構造を備え、該接続板構造は、上端部が上段の充填板の下端に固定され且つ下端部が概略逆Ｕ字状の嵌合部を形成している上部接続板と、下段の充填板の上端に固定されて前記上部接続板の嵌合部に嵌合できる下部接続板とからなり、上部接続板の嵌合部と下部接続板は、充填材が沈下しても湿式空間と湿式・乾式切替空間との間を遮断できるラップした余裕を有して嵌合したことを特徴とする冷水塔。
【請求項２】
接続板構造は、上端部が上段の充填板の下端に固定され且つ下端部が逆Ｕ字状の嵌合部を形成している上部接続板と、下段の充填板の上端に固定された下部接続板と、前記上部接続板の嵌合部にラップした余裕を有して嵌合できる中間差込部が上端に形成され且つ前記下部接続板に嵌合できる概略逆Ｕ字状の中間嵌合部が下端に形成された中間接続板とからなることを特徴とする請求項１記載の冷水塔。
【発明の詳細な説明】
【０００１】
【発明の属する技術分野】
本発明は、冷水塔に関するものである。
【０００２】
【従来の技術】
冷水塔で水を冷却した空気は湿り度が略１００％の湿り空気となっているため、この湿り空気をそのまま冷却塔外部に排出すると、外気温度が低い場合又は相対湿度が高い場合には白煙を生じることがある。
【０００３】
斯かる白煙の発生は、外気を汚染しているかのごとき誤解を近隣居住者等に与える結果となり、又白煙が地上に下降し滞留して周囲に霧のように立ち込めることにより視界不良を招く等の不具合があるため、近年白煙を極力発生させないようにした冷水塔の開発が望まれている。
【０００４】
而して、斯かる冷水塔としては、外気温度が所定の温度よりも高い通常の場合はいわゆる湿式として使用し、外気温度が所定の温度よりも低い場合又は所定の湿度より高い場合には、湿式・乾式を併用し得るようにした湿式・乾式切替式のものがあり、その一例は図４〜図９に示されている。
【０００５】
図４に示すごとく、冷水塔は、ケーシング１の頂部に設けられると共に内部に送風機２を設置された排気口３と、ケーシング１の外周に形成された外気取入れ口４と、ケーシング１内の上部に排気口３下部を包囲するよう設置された温水槽５と、温水槽５の下方に配置され且つ温水槽５から流下させた温水を送風機２により外気取入れ口４から取り込んだ外気１１と熱交換させて冷却する左右の熱交換部６と、熱交換部６の下方に設置され且つ熱交換部６で冷却されて流下して来た冷水を溜める底部水槽７を備えている。
【０００６】
図５、６に示すごとく温水槽５は、矩形箱状に形成されると共に、その内部空間は、下端が底板５ａの上面に固設された平面形状がジグザグ状の仕切板８により仕切られて常時貯水領域９と湿式・乾式切替貯水領域１０に区分けされている。
【０００７】
而して、常時貯水領域９と湿式・乾式切替貯水領域１０は、平面的に見て外気１１の流入方向と平行な方向が櫛歯形状に互に入り込んだ形状になっている。
【０００８】
温水槽５の常時貯水領域９上は、温水１２を常時貯水領域９に供給するための温水供給管１３が配設され、仕切板８に穿設した連通口１４には、常時貯水領域９と湿式・乾式切替貯水領域１０とにおける温水１２の水位差を補正するための切替弁１５が設けられている。
【０００９】
又、温水供給管１３の中途部には、温水１２を湿式・乾式切替貯水領域１０へ供給するための温水供給枝管１３’が分岐、接続されており、温水供給枝管１３’には切替弁１５’が設けられている。
【００１０】
温水槽５の底板５ａの常時貯水領域９における櫛歯形状の部分には、長手方向へ所要の間隔で複数のノズル取付け孔１６が穿設され、各ノズル取付け孔１６には、温水１２を熱交換部６へ向けて散水するための散水ノズル１７が嵌合され、固定されている。
【００１１】
温水槽５の底板５ａの湿式・乾式切替貯水領域１０における櫛歯形状の部分には、長手方向へ所要の間隔で、ノズル取付け孔１６と平行に、温水１２を熱交換部６へ向けて散水するための複数の散水孔１８が穿設されている。
【００１２】
温水槽５の底板５ａの下面には、仕切板８の外気１１流れ方向と平行に延在する部分の略直下に位置し且つ仕切板８と平行に延びる隔絶板１９（図８、９参照）が固設されており、散水ノズル１７及び散水孔１８は、対向する隔絶板１９，１９間に位置している。
【００１３】
図４に示す、温水槽５の下方に設置される熱交換部６は、以下に述べるように構成されている。
【００１４】
すなわち、図６、７、８、９に示すごとく、シート状の合成樹脂材（ＰＶＣ）の表面に凹凸を形成した充填板２０ａ，２０ｂは、上下に延在されて左右方向へ所要間隔離して多数並列に配置され、図７、８に示すごとく、充填板２０ａ，２０ｂの表面に上下左右へ向けて所要ピッチで固着した複数の突起２５の先端同士が接着剤により接合され、これにより充填板２０ａ，２０ｂは一体化されて全体で自立し得るようにしたブロック状の充填材２０を形成しており、各充填材２０は温水槽５の下部に上下へ複数段配置されることにより熱交換部６が構成されている。
【００１５】
又、冷水塔内の外気１１送り方向に対して直交する方向の両側には、図７、８に示すごとく、外気１１送り方向へ延びる横梁２３が上下へ所要の間隔で配置され、各段の充填材２０は横梁２３上に設置されたグリッドデッキ２４上に載置され、支持されている。
【００１６】
上述の熱交換部６の充填材２０として用いる充填板２０ａ，２０ｂは以下に述べるように配設されている。
【００１７】
すなわち、図８、９に示すごとく、対向する隔絶板１９，１９のうち、散水ノズル１７を挾んで対向する位置には、隔絶板１９，１９間の間隔を分割するとともに、底板５ａ下面との間に散水された温水１２を分散させるための隙間が形成されるよう、上端が隔絶板１９の下端より約１００ｍｍ程度下方に位置する、最上段の充填材２０の充填板２０ａが配設され、対向する隔絶板１９，１９間のうち、散水孔１８を挾んで対向する位置には、上端が略底板５ａの下面から約１０〜２０ｍｍ下方に位置するとともに側面が隔絶板１９の散水孔１８側の面に接触するよう、最上段の充填材２０の充填板２０ｂが配設されている。
【００１８】
而して、最上段の充填材２０においては、充填板２０ｂ，２０ｂにより仕切られるとともに充填板２０ｂ，２０ｂ間に充填板２０ａが配置された空間は、常時湿式空間２１となり、充填板２０ｂ，２０ｂにより仕切られ且つ両充填板２０ｂ，２０ｂ間に充填板２０ａのない空間は湿式・乾式切替空間２２となっている。
【００１９】
又、各下段の充填材２０においても、下段の充填板２０ｂ，２０ｂ間に充填板２０ａが配置された空間は、常時湿式空間２１となり、充填板２０ｂ，２０ｂ間に充填板２０ａのない空間は湿式・乾式切替空間２２になっており、下段の各空間２１，２２は対応する上段の空間２１，２２の直下に位置している（図８参照）。
【００２０】
上述の冷水塔で温水１２を冷却する際に外気温度が所定の温度より高い場合又は所定の湿度よりも低い場合には、切替弁１５，１５’を開いておく。
【００２１】
このため、温水供給管１３から温水槽５に供給された温水１２は、常時貯水領域９及び湿式・乾式切替貯水領域１０の両領域に溜まり、溜まった温水１２は散水ノズル１７から熱交換部６における最上段の充填材２０の常時湿式空間２１に散水されるとともに散水孔１８から最上段の充填材２０の湿式・乾式切替空間２２に散水され、散水された温水１２は最上段部充填材２０の充填板２０ａ，２０ｂの両側の表面に付着し、水膜状に流下する。
【００２２】
而して、最上段の充填材２０の充填板２０ａ，２０ｂの両側の表面に付着して水膜状に流下した温水１２は、順次下段の充填材２０の常時湿式空間２１及び湿式・乾式切替空間２２に流下し、各段において充填板２０ａ，２０ｂの両側の表面に付着し、水膜状に流下する。
【００２３】
又、送風機２により図４に示す外気取入れ口４から熱交換部６における各段の充填材２０の常時湿式空間２１及び湿式・乾式切替空間２２に吸込まれた外気１１はこれら空間２１，２２内を流通しつつ充填板２０ａ，２０ｂに沿い流下する温水と直接接触して熱交換を行うことにより温水を冷却し、常時湿式空間２１及び湿式・乾式切替空間２２から排出された後、排気口３を通って１００％湿り空気の状態の空気２６として大気中へ排出される（図４参照）。
【００２４】
熱交換により温水が冷却されることにより生成された冷却水は順次各段の充填材２０の充填板２０ａ，２０ｂに沿い流下して底部水槽７に流入する。
【００２５】
この場合には外気温度が所定の温度よりも高いため、又は相対湿度が所定の湿度より低いため、湿式・乾式切替貯水領域１０にも温水１２を供給し、散水孔１８から湿式・乾式切替空間２２に温水１２を散水しても排気口３から排気される空気２６が白煙化することはない。
【００２６】
なお、切替弁１５が開いているため、常時貯水領域９と湿式・乾式切替貯水領域１０に供給された温水１２の水位差はなく、同一レベルに保持される。
【００２７】
冬季のように外気温度が所定の温度よりも低い場合又は相対湿度が所定の湿度より高い場合には、切替弁１５，１５’を閉止しておく。
【００２８】
このため、温水供給管１３から温水槽５に供給された温水１２は、常時貯水領域９のみに溜まり、溜まった温水１２は散水ノズル１７から最上段の充填材２０の常時湿式空間２１に散水されて充填板２０ａの両側の表面及び充填板２０ｂの常時湿式空間２１に面した表面に付着して順次下段の充填材２０へと水膜状に流下する。
【００２９】
但し、この場合、温水槽５の湿式・乾式切替貯水領域１０には温水１２は供給されないため、散水孔１８から湿式・乾式切替空間２２に散水されることはなく、従って湿式・乾式切替空間２２は乾いた状態に保持され、各段の充填材２０の充填板２０ｂの湿式・乾式切替空間２２側の面には温水の水膜が形成されることはない。
【００３０】
送風機２により外気取入れ口４から各段の充填材２０の常時湿式空間２１に吸込まれた外気１１は上述のごとく、各段の充填材２０の常時湿式空間２１内を流通しつつ充填板２０ａ，２０ｂに沿い上方から下方へ流下する温水１２と直接接触し熱交換を行うことにより温水を冷却する。
【００３１】
一方、送風機２により湿式・乾式切替空間２２に吸込まれた外気１１は湿式・乾式切替空間２２内を流通しつつ、充填板２０ｂの常時湿式空間２１側の表面を流下する温水１２から、充填板２０ｂを介して熱伝導により水蒸気供給を伴うことなく温められ、その結果、温水１２が冷却される。
【００３２】
又、常時湿式空間２１から排出された空気は１００％湿り空気であるが、湿式・乾式切替空間２２から排出された空気は乾き空気であるため、混合して排気口３から大気中へ排出される空気２６の湿度は飽和状態になく、従って大気中で空気２６が白煙化することはない。
【００３３】
【発明が解決しようとする課題】
上述のごとく、熱交換部６に多段に配置された充填材２０は、冷水塔内の横梁２３により支持された格子構造のグリッドデッキ２４上に載置されているにすぎず、このようなグリッドデッキ２４上に載置する従来方式では、上下段の湿式・乾式切替空間２２同士を常時湿式空間２１と隔絶させて連続化することが不可能である。
【００３４】
従って、例えば、外気温度が低いため切替弁１５を閉止して冷水塔の温水槽５から常時湿式空間２１に温水１２を散水しないようにしても、下段へ移行するうちに、常時湿式空間２１から湿式・乾式切替空間２２へ温水１２が侵入してしまい、温水１２を冷却することにより加熱された外気１１を湿度の低い乾き空気とすることができず、その結果、白煙の発生を完全には抑えることができないという問題があった。
【００３５】
又、上記問題を解決するための方法として、特開平８−２２６７８８号公報に記載されたものも提案されている。
【００３６】
但し、特開平８−２２６７８８号公報に記載のものは、図１０、１１に示すように、常時湿式空間２１と常時乾式空間２７とが独立されたものであり、前述したような湿式・乾式切替空間２２を備えた構成とはなっていない。
【００３７】
図１０、１１の装置では、上下の充填材２０における常時乾式空間２７を形成する上部の充填板２０ａと下部の充填板２０ａとの間に、上下の充填板２０ａ，２０ａが嵌合する溝２８ａ，２８ｂを上下に備えた略直方体からなる連続体２９を設け、該連続体２９を貫通するように設けた充填板受け材３０によって荷重を支持するようにしている。
【００３８】
しかし、上記図１０、１１に示した構成においては、上下の充填板２０ａ，２０ａを連続体２９の上下の溝２８ａ，２８ｂに嵌合させることにより、常時湿式空間２１と常時乾式空間２７とを独立させるようにしたものであるため、溝２８ａ，２８ｂによる嵌合によって気密を保持することは困難であり、常時湿式空間２１を流下した温水が上側の溝２８ａに溜まり、この温水が常時乾式空間２７に流れ込んでしまうことにより常時乾式空間２７の湿度が上昇し、このために充分な白煙防止効果を発揮できなくなってしまう可能性を有していた。
【００３９】
又、前述した図５〜図９に示すように、常時湿式空間２１と湿式・乾式切替空間２２とを備えている構成の冷水塔に、前記図１０、１１に示した方式を適用しても、すべての空間２１，２２に温水を流してすべての空間２１，２２で外気１１による温水の冷却を行わせる際に、前記上側の溝２８ａの存在により、常時湿式空間２１と湿式・乾式切替空間２２における充填板２０ａ，２０ｂを伝わって流下する温水の流量が多い側から少ない側に流れ込むようになり、このために折角流量の調節を行っている常時湿式空間２１と湿式・乾式切替空間２２における温水の流量が変化し、このために熱交換効率が低下してしまうという問題を有していた。
【００４０】
本発明は上述の実情に鑑み、熱交換部の充填材に形成した常時湿式空間を流下する温水と隣接された湿式・乾式切替空間を流下する温水とが互いに移動して侵入することがないようにし、又、常時湿式空間を流下する温水が、温水を供給していない湿式・乾式切替空間へ侵入することがないようにした冷水塔を提供することを目的としてなしたものである。
【００４１】
【課題を解決するための手段】
本発明は、上下方向に延在する充填板を水平方向に並べて充填板により仕切られた常時湿式空間と湿式・乾式切替空間を有する充填材を形成し、該充填材を温水槽の下方の熱交換部に多段に配設すると共に、常時湿式空間及び湿式・乾式切換空間に外気を導入し、常時湿式空間には常時温水を供給し、外気温度が所定の温度より高い場合及び所定の湿度より低い場合には湿式・乾式切替空間に温水を供給することにより常時湿式空間及び湿式・乾式切換空間にて温水の冷却を行い、外気温度が所定の温度より低い場合及び所定の湿度より高い場合には湿式・乾式切換空間への温水の供給を停止することにより常時湿式空間のみにて温水の冷却を行うようにした冷水塔において、湿式・乾式切替空間を形成する上段の充填板と下段の充填板との間に、常時湿式空間と湿式・乾式切替空間との間における温水の移動を阻止し、且つ温水が供給されていない湿式・乾式切換空間への常時湿式空間からの温水の侵入を阻止する接続板構造を備え、該接続板構造は、上端部が上段の充填板の下端に固定され且つ下端部が概略逆Ｕ字状の嵌合部を形成している上部接続板と、下段の充填板の上端に固定されて前記上部接続板の嵌合部に嵌合できる下部接続板とからなり、上部接続板の嵌合部と下部接続板は、充填材が沈下しても湿式空間と湿式・乾式切替空間との間を遮断できるラップした余裕を有して嵌合したことを特徴とする冷水塔、に係るものである。
【００４２】
接続板構造は、上端部が上段の充填板の下端に固定され且つ下端部が逆Ｕ字状の嵌合部を形成している上部接続板と、下段の充填板の上端に固定された下部接続板と、前記上部接続板の嵌合部にラップした余裕を有して嵌合できる中間差込部が上端に形成され且つ前記下部接続板に嵌合できる概略逆Ｕ字状の中間嵌合部が下端に形成された中間接続板とから構成されていてもよい。
【００４３】
本発明では、常時湿式空間と湿式・乾式切替空間との間を温水が移動することがないように、接続板構造によって確実に遮断する構成としているので、常時湿式空間から湿式・乾式切替空間に温水が侵入することがないため、冬季における白煙の発生をより一層確実に防止できる。
【００４４】
又、常時湿式空間と湿式・乾式切替空間のすべてに温水を流して、すべての常時湿式空間と湿式・乾式切替空間による温水の冷却を行わせる際にも、前記接続板構造によって温水が互いに反対側に移動することが完全に防止されるので、常時湿式空間と湿式・乾式切替空間とに設定量の温水を流下させて、高い熱交換効率を発揮させることができる。
【００４５】
【発明の実施の形態】
以下、本発明の実施の形態を図１及び図２並びに必要な場合には従来の図面をも参照しつつ説明する。
【００４６】
本発明の形態例において熱交換部に配置する充填材は、上段の充填材と下段の充填材との接続部で充填板の構造が従来のものと若干異なっているが、基本的構造及び温水の冷却という点では従来のものと同じであるため、充填材及び充填板に対しては便宜上従来のものと同一の符号を付している。
【００４７】
而して、本実施の形態においては、図１、２に示すごとく、外気１１進行方向前後両側に外気１１進行方向に対して直交する方向（図１では左右方向）へ延在する横梁３１が上下方向へ所要の間隔で配置されている。
【００４８】
又、横梁３１上には、横梁３１の長手方向に対して直交する方向すなわち外気１１の進行方向へ延在するサポート部材３２が充填材２０の各常時湿式空間２１内に位置するよう載置されている。
【００４９】
而して、サポート部材３２は左右２枚の側板３２ａと該側板３２ａを接続するごとく側板３２ａに長手方向へ所要の間隔で固設した、側板３２ａよりも高さの低いサポート部材本体３２ｂとにより構成され、充填板２０ａ，２０ａ間を流下する温水は側板３２ａ間を通って下方へ流下し得るようになっていると共に導入された外気１１も両側板３２ａ間を通り得るようになっている。
【００５０】
最上段の充填材２０における充填板２０ａ，２０ｂの上端部の構造は従来の場合と同じで、図８、９に示すように、充填板２０ａの上端は隔絶板１９の下端より下に位置し得るようになっており、充填板２０ｂの上端は、温水槽５の底板５ａ下面に接触しないようになっている。
【００５１】
又、充填板２０ｂは散水孔１８を挾んで対向する隔絶板１９の対向面に接触し、充填板２０ａは湿式・乾式切替空間２２を幅方向に分割している。
【００５２】
各上段の充填材２０における充填板２０ｂの下端３３と当該上段の充填材２０の次段に位置する各下段（以下単に下段という）の充填材２０における充填板２０ｂの上端３４は、図１、２に示すごとく長手方向全長に亘り所定の高さのフラット状に形成されている。
【００５３】
又、各上段の充填材２０における充填板２０ｂの下端３３は当該充填材２０における充填板２０ａの下端よりも下方に延在しており、各下段の充填材２０における充填板２０ｂの上端３４は当該充填材２０における充填板２０ａの上端よりも上方に延在している。
【００５４】
上段の充填板２０ｂの下端３３と、下段の充填板２０ｂの上端３４との間には、常時湿式空間２１と湿式・乾式切替空間２２との間における温水１２の移動を阻止する接続板構造３５を備えている。
【００５５】
接続板構造３５は、図２に詳細を示すように、上端部が上段の充填板２０ｂのフラットな下端３３に接着剤３６又は溶着又は一体成形などにより固定でき、且つ下端部が概略逆Ｕ字状の嵌合部３７を形成している上部接続板３８と、下段の充填板２０ｂのフラットな上端３４に接着剤３６又は溶着又は一体成形などにより固定でき、且つ前記上部接続板３８の嵌合部３７に嵌合できるようにした下部接続板３９とから構成されている。前記嵌合部３７と下部接続板３９との嵌合は例えば５０ｍｍ程度の余裕Ｘ（ラップ距離）をもって移動できるようにしている。
【００５６】
このとき、前記下部接続板３９の上端部には、上部に向けて先細りの矢印形状部４０が形成されており、又、前記上部接続板３８の嵌合部３７の下端部には、下側の間隔が大きく上側の間隔が小さくなるようにした開口部４１が形成されており、上記矢印形状部４０を開口部４１に押込むことにより容易に嵌合させることができ、一方、嵌合した後はその形状によるひっ掛かり作用によって、抜け出ないようになっている。
【００５７】
次に、図１、２に示す本発明の実施の形態の作用について説明する。
【００５８】
図１、２に示す形態においては、上段の充填板２０ｂのフラットな下端３３に接着剤３６又は溶着又は一体成形などにより上部接続板３８を固定しておき、一方、下段の充填板２０ｂのフラットな上端３４に接着剤３６又は溶着又は一体成形などにより下部接続板３９を固定しておく。
【００５９】
このようにして、上段の充填材２０をサポート部材３２のサポート部材本体３２ｂ上に載置させた後、下段の充填材２０を上昇させて、下部接続板３９が前記上部接続板３８の嵌合部３７に嵌合するようにして、下部充填材２０を前記と同様にサポート部材３２上に支持させる。
【００６０】
上記構成においては、上部接続板３８の概略逆Ｕ字形状の嵌合部３７に下部接続板３９が嵌合されているので、図２に示すように、常時湿式空間２１を流下して来る温水１２が湿式・乾式切替空間２２に移動（侵入）することも、又、湿式・乾式切替空間２２を流下してくる温水１２が常時湿式空間２１に移動（侵入）することも完全に防止できる。
【００６１】
従って、冬季のように外気温度が所定の温度よりも低い場合又は相対湿度が所定の湿度より高い場合において、湿式・乾式切替空間２２に温水を供給しない状態としたときに、常時湿式空間２１の温水が湿式・乾式切替空間２２に流入するという問題を確実に防止することができ、従って冬季における白煙の発生をより一層確実に防止することができるようになる。
【００６２】
更に、常時湿式空間２１と湿式・乾式切替空間２２のすべてに温水１２を流してすべての空間２１，２２による温水１２の冷却を行わせる際にも、前記接続板構造３５によって常時湿式空間２１と湿式・乾式切替空間２２を流下する温水１２が互いに反対側に移動（侵入）することを完全に防止でき、よって常時湿式空間２１と湿式・乾式切替空間２２とに常時設定量の温水１２を流下させて、高い熱交換効率を達成することができる。
【００６３】
上記において、上部接続板３８の嵌合部３７と下部接続板３９とは、例えば５０ｍｍ程度の余裕Ｘを持ってラップするようにしているので、前記充填材２０が設置後に温水１２の付着による重量の増加などによって沈下することが生じても、常時湿式空間２１と湿式・乾式切替空間２２との間の温水１２の移動を確実に遮断することができる。
【００６４】
更に、下部接続板３９の上端部に設けた先細りの矢印形状部４０の形状と、上部接続板３８の嵌合部３７の下端部における、下側の間隔が大きく上側の間隔が小さくなるようにした開口部４１の形状とにより、組立時の嵌合が容易で、しかも嵌合した後はひっ掛かり作用によって抜け出ることが防止できる。
【００６５】
図３は、本実施の他の形態を示したもので、図１、２とは異なった接続板構造３５を有している。
【００６６】
図３に示す接続板構造３５は、上端部が上段の充填板２０ｂのフラットな下端３３に接着剤３６又は溶着又は一体成形などにより固定でき、且つ下端部が概略逆Ｕ字状の嵌合部３７を形成している上部接続板３８と、下段の充填板２０ｂのフラットな上端３４に接着剤３６又は溶着又は一体成形などにより固定するようにした下部接続板３９を備えている。
【００６７】
更に、前記上部接続板３８の嵌合部３７に嵌合できる中間差込部４２が上端に形成され、且つ前記下部接続板３９に嵌合できる概略逆Ｕ字状の中間嵌合部４３が下端に形成された中間接続板４４を備えている。前記嵌合部３７と中間接続板４４との嵌合は例えば５０ｍｍ程度の余裕Ｘ（ラップ距離）をもって移動できるようにしている。
【００６８】
このとき、前記下部接続板３９の上端部及び中間接続板４４の中間差込部４２の上端部には、上部に向けて先細りの矢印形状部４０が夫々形成されており、又、前記上部接続板３８の嵌合部３７の下端部と中間接続板４４の中間嵌合部４３の下端部には、下側の間隔が大きく上側の間隔が小さくなるようにした開口部４１が夫々形成されている。
【００６９】
次に、図３に示す本発明の実施の形態の作用について説明する。
【００７０】
図３に示す形態においては、上段の充填板２０ｂのフラットな下端３３に接着剤３６又は溶着又は一体成形などにより上部接続板３８を固定しておき、一方、下段の充填板２０ｂのフラットな上端３４に接着剤３６又は溶着又は一体成形などにより下部接続板３９を固定しておく。
【００７１】
上段の充填材２０をサポート部材３２のサポート部材本体３２ｂ上に載置させ、又、下段の充填材２０を、同様にして下段のサポート部材３２上に設置させる。
【００７２】
続いて、中間差込部４２が上部接続板の嵌合部３７に嵌合され、且つ下部接続板３９が中間接続板４４の中間嵌合部４３に嵌合されるように、中間接続板４４を、図３の紙面に対して鉛直な方向から挿入し、上部接続板３８と下部接続板３９との間を接続する。
【００７３】
上記構成においては、上部接続板３８の概略逆Ｕ字形状の嵌合部３７に中間接続板４４の中間差込部４２が嵌合され、下部接続板３９が中間接続板４４の中間嵌合部４３に嵌合されているので、図３に示すように、常時湿式空間２１を流下して来る温水１２が湿式・乾式切替空間２２に移動（侵入）することも、又、湿式・乾式切替空間２２を流下してくる温水１２が常時湿式空間２１に移動（侵入）することも完全に防止することができる。
【００７４】
従って、冬季のように外気温度が所定の温度よりも低い場合又は相対湿度が所定の湿度より高い場合において、湿式・乾式切替空間２２に温水を流下させない状態としたときに、常時湿式空間２１の温水が湿式・乾式切替空間２２に流入するという問題を確実に防止することができ、従って冬季における白煙の発生をより一層確実に防止することができるようになる。
【００７５】
更に、常時湿式空間２１と湿式・乾式切替空間２２のすべてに温水１２を流してすべての空間２１，２２による温水１２の冷却を行わせる際にも、前記接続板構造３５によって常時湿式空間２１と湿式・乾式切替空間２２を流下する温水１２が互いに反対側に移動（侵入）することを完全に防止でき、よって常時湿式空間２１と湿式・乾式切替空間２２とに常時設定量の温水１２を流下させて、高い熱交換効率を達成することができる。
【００７６】
図３の構成においても、上部接続板３８の嵌合部３７と中間接続板４４の中間差込部４２とは、例えば５０ｍｍ程度の余裕Ｘを持ってラップするようにしているので、前記充填材２０が設置後に温水１２の付着による重量の増加などによって沈下することが生じても、常時湿式空間２１と湿式・乾式切替空間２２との間を確実に遮断することができる。
【００７７】
更に、下部接続板３９の上端部及び中間接続板４４の中間差込部４２に設けた先細りの矢印形状部４０の形状と、上部接続板３８の嵌合部３７の下端部及び中間接続板４４の中間嵌合部４３における開口部４１との形状により、嵌合後にひっ掛かり作用によって抜け出ることが防止される。
【００７８】
更に、図３の形態においては、充填材２０の設置後に中間接続板４４を横方向から差込むことによって上段と下段の充填板２０ａ，２０ｂを接続することができるので、冷水塔の組立作業を容易にすることができる。
【００７９】
なお、本発明は前述の実施の形態例に限定されるものではなく、本発明の要旨を逸脱しない範囲内で種々変更を加え得ることは勿論である。
【００８０】
【発明の効果】
本発明の冷水塔によれば、常時湿式空間と湿式・乾式切替空間との間を温水が移動することがないように、接続板構造によって確実に遮断する構成としているので、常時湿式空間から湿式・乾式切替空間に温水が侵入することがないため、冬季における白煙の発生をより一層確実に防止できるという優れた効果を奏し得る。
【００８１】
又、常時湿式空間と湿式・乾式切替空間のすべてに温水を流して、すべての常時湿式空間と湿式・乾式切替空間による温水の冷却を行わせる際にも、前記接続板構造によって温水が互いに反対側に移動することが完全に防止されるので、常時湿式空間と湿式・乾式切替空間とに設定量の温水を流下させて、高い熱交換効率を発揮させることができるという優れた効果を奏し得る。
【図面の簡単な説明】
【図１】本発明の実施の形態の一例を示す縦断面図である。
【図２】図１における要部の詳細縦断面図である。
【図３】本発明の実施の形態の他の例を示す図２と同様の要部の詳細縦断面図である。
【図４】湿式・乾式切替式の冷水塔の一般的な構造の概要を示す縦断面図である。
【図５】図４に示す冷水塔の温水槽の平面図である。
【図６】図４に示す冷水塔の温水槽及び熱交換部上部の斜視図である。
【図７】図４に示す冷水塔の熱交換部の側面図である。
【図８】図７のＶＩＩＩ−ＶＩＩＩ方向矢視図である。
【図９】図８のＩＸ部拡大図である。
【図１０】上段の接続板と下段の接続板を接続する従来の一例を示す縦断面図である。
【図１１】図１０のＸＩ−ＸＩ方向矢視図である。
【符号の説明】
５    温水槽
６    熱交換部
９    常時貯水領域
１０    湿式・乾式切替貯水領域
１１    外気
１２    温水
２０    充填材
２０ａ  充填板
２０ｂ  充填板
２１    常時湿式空間
２２    湿式・乾式切替空間
３３    下端
３４    上端
３５    接続板構造
３７    嵌合部
３８    上部接続板
３９    下部接続板
４２    中間差込部
４３    中間嵌合部
４４    中間接続板
【図１】
0003898843.tif 000002
【図２】
0003898843.tif 000003
【図３】
0003898843.tif 000004
【図４】
0003898843.tif 000005
【図５】
0003898843.tif 000006
【図６】
0003898843.tif 000007
【図７】
0003898843.tif 000008
【図８】
0003898843.tif 000009
【図９】
0003898843.tif 000010
【図１０】
0003898843.tif 000011
【図１１】
0003898843.tif 000012